(57)【要約】【課題】軽量でかつコスト的な有利性を発揮することができながら、遮音性に優れ、しかも、面材と補強下地桟とのプレスによる接合を品質良好なものにすることができる遮音建具及び遮音建具を提供する。【解決手段】  一部の補強下地桟３…が、一方の面材５の側に偏って位置してもう一方の面材６から離間していると共に、残る一部の補強下地桟４…が、前記もう一方の面材６の側に偏って位置して前記一方の面材５から離間し、補強下地桟３…と面材６との間、及び、補強下地桟４…と面材５との間にプレス支持用緩衝材７…が介設され、補強下地桟３…と面材５、及び、補強下地桟４…と面材６とがプレスされて接着剤８で接合されている。各補強下地桟３…，４…は、周囲枠２で囲まれた内部において短辺方向に延ばされているとよい。【選択図】      図１
2009150133.tif 000002
【特許請求の範囲】
【請求項１】
内部に複数本の補強下地桟が設けられた周囲枠の両側に面板が設けられ、
前記複数本のうちの一部の補強下地桟が、一方の面材の側に偏って位置してもう一方の面材から離間していると共に、残る一部の補強下地桟が、前記もう一方の面材の側に偏って位置して前記一方の面材から離間しており、
前記一部の補強下地桟と前記もう一方の面材との間、及び、前記残る一部の補強下地桟と前記一方の面材との間のそれぞれにプレス支持用緩衝材が介設され、
前記一部の補強下地桟と前記一方の面材、及び、前記残る一部の補強下地桟と前記もう一方の面材とがプレスされて接合されていることを特徴とする遮音建具。
【請求項２】
前記各補強下地桟が、周囲枠で囲まれた内部において短辺方向に延ばされている請求項１に記載の遮音建具。
【請求項３】
内部に複数本の補強下地桟が設けられた周囲枠の両側に面板が設けられ、
前記複数本のうちの一部の補強下地桟が、一方の面材の側に偏って位置してもう一方の面材から離間していると共に、残る一部の補強下地桟が、前記もう一方の面材の側に偏って位置して前記一方の面材から離間しており、
前記各補強下地桟が、周囲枠で囲まれた内部において短辺方向に延ばされ、
前記一部の補強下地桟と前記一方の面材、及び、前記残る一部の補強下地桟と前記もう一方の面材とがプレスされて接合されていることを特徴とする遮音建具。
【請求項４】
補強下地桟と面材とが接着剤で接合されている請求項１乃至３のいずれか一に記載の遮音建具。
【請求項５】
内部に複数本の補強下地桟が設けられた周囲枠の両側に面板が設けられ、
前記複数本のうちの一部の補強下地桟が、一方の面材の側に偏って位置してもう一方の面材から離間していると共に、残る一部の補強下地桟が、前記もう一方の面材の側に偏って位置して前記一方の面材から離間しており、
前記一部の補強下地桟と前記もう一方の面材との間、及び、前記残る一部の補強下地桟と前記一方の面材との間のそれぞれにプレス支持用緩衝材が介設され、
前記一部の補強下地桟と前記一方の面材、及び、前記残る一部の補強下地桟と前記もう一方の面材とがプレスされて接合されていることを特徴とする遮音パネル。
【請求項６】
内部に複数本の補強下地桟が設けられた周囲枠の両側に面板が設けられ、
前記複数本のうちの一部の補強下地桟が、一方の面材の側に偏って位置してもう一方の面材から離間していると共に、残る一部の補強下地桟が、前記もう一方の面材の側に偏って位置して前記一方の面材から離間しており、
前記補強下地桟が、周囲枠で囲まれた内部において短辺方向に延ばされ、
前記一部の補強下地桟と前記一方の面材、及び、前記残る一部の補強下地桟と前記もう一方の面材とがプレスされて接合されていることを特徴とする遮音パネル。
【発明の詳細な説明】
【技術分野】
【０００１】
本発明は、遮音建具及び遮音パネルに関する。
【背景技術】
【０００２】
例えば室内木製ドアとして、従来より、周囲枠の内部にペーパーハニカム材を充填し、面材を周囲枠を挟む両側からプレスすることにより、ペーパーハニカム材と両面材とを接着剤で接合したものや、周囲枠の内部に表裏共通の補強下地桟を設け、面材を周囲枠を挟む両側からプレスすることにより、補強下地桟と両面材とを接着剤で接合したものなどが提供されている。
【０００３】
しかしながら、これらのドアでは、表裏の面材がペーパーハニカム材や共通補強下地桟で連結されているため、連結部分がサウンドブリッジとなって、遮音性能に優れないという問題がある一方で、遮音性を高めるため、面材の重量を大きくすると、ドアの施工が厄介になってしまうと共に、ドアのコストも高いものについてしまうという問題がある。
【０００４】
そこで、周囲枠の内部に設けられた複数本の補強下地桟のうちの一部の補強下地桟を、一方の面材の側に偏って位置させてもう一方の面材から離間させると共に、残る一部の補強下地桟を、前記もう一方の面材の側に偏って位置させて前記一方の面材から離間させ、両面材を周囲枠を挟んで両側からプレスして、前記一部の補強下地桟と前記一方の面材、及び、前記残る一部の補強下地桟と前記もう一方の面材とを接着剤で接合した遮音ドアも提供されている。
【特許文献１】特開平９−２４２２１１号公報
【発明の開示】
【発明が解決しようとする課題】
【０００５】
しかしながら、上記のような遮音ドアでは、各補強下地桟がいずれか一方の面材から離間しているため、プレスをすると、補強下地桟に撓みを生じて、面材と補強下地桟とがうまい具合に接合されない場合があるという問題がある。
【０００６】
本発明は、上記のような問題点に鑑み、軽量でかつコスト的な有利性を発揮することができながら、遮音性に優れ、しかも、面材と補強下地桟とのプレスによる接合を品質良好なものにすることができる遮音建具及び遮音パネルを提供することを課題とする。
【課題を解決するための手段】
【０００７】
上記の課題は、内部に複数本の補強下地桟が設けられた周囲枠の両側に面板が設けられ、
前記複数本のうちの一部の補強下地桟が、一方の面材の側に偏って位置してもう一方の面材から離間していると共に、残る一部の補強下地桟が、前記もう一方の面材の側に偏って位置して前記一方の面材から離間しており、
前記一部の補強下地桟と前記もう一方の面材との間、及び、前記残る一部の補強下地桟と前記一方の面材との間のそれぞれにプレス支持用緩衝材が介設され、
前記一部の補強下地桟と前記一方の面材、及び、前記残る一部の補強下地桟と前記もう一方の面材とがプレスされて接合されていることを特徴とする遮音建具によって解決される（第１発明）。
【０００８】
この遮音建具では、周囲枠内の補強下地桟が各面材に接合されているので、面材の面外方向へのはらみを補強下地桟で防ぐことができるのはもちろん、
これら補強下地桟はいずれか一方の面材から離間しているので、補強下地桟がサウンドブリッジとならず、高い遮音性能を発揮することができ、
従って、遮音性確保のために面材の重量を大きくする必要がないから、軽量で施工性に優れ、コスト的な有利性を発揮することができる。
【０００９】
そして、補強下地桟と面材とが離間している部分には、プレス支持用緩衝材が介設されているので、建具の製作過程においてプレスしても、プレス支持用緩衝材による支持作用によって補強下地桟に撓みを生じにくく、また、プレス時に補強下地桟にねじれ変形を生じることもなく、そのため、面材と補強下地桟とをうまい具合に品質良好に接合することができ、
それでいて、プレス支持用緩衝材は、緩衝作用も備えているので、サウンドブリッジとはならず、遮音性能を損なわせることもない。
【００１０】
第１発明において、各補強下地桟は、周囲枠で囲まれた内部において短辺方向に延ばされているとよい（第２発明）。この場合は、このように短辺方向に延ばされていることと、プレス支持用緩衝材の介設とによって、建具の製作過程におけるプレスによる補強下地桟の撓みをより一層効果的に生じにくくすることができて、面材と補強下地桟との接合を品質良好なものにすることができる。
【００１１】
また、上記の課題は、内部に複数本の補強下地桟が設けられた周囲枠の両側に面板が設けられ、
前記複数本のうちの一部の補強下地桟が、一方の面材の側に偏って位置してもう一方の面材から離間していると共に、残る一部の補強下地桟が、前記もう一方の面材の側に偏って位置して前記一方の面材から離間しており、
前記各補強下地桟が、周囲枠で囲まれた内部において短辺方向に延ばされ、
前記一部の補強下地桟と前記一方の面材、及び、前記残る一部の補強下地桟と前記もう一方の面材とがプレスされて接合されていることを特徴とする遮音建具によって解決される（第３発明）。
【００１２】
この遮音建具では、特に、補強下地桟が、周囲枠で囲まれた内部を短辺方向に延ばされていることで、建具の製作過程においてプレスをしても、補強下地桟に撓みを生じにくく、そのため、面材と補強下地桟とをうまい具合に品質良好に接合することができる。
【００１３】
第１〜第３発明において、補強下地桟と面材とが接着剤で接合されているとよい（第４発明）。この場合は、補強下地桟と面材とを接着剤によって品質良好に接合することができる。
【００１４】
また、上記の課題は、内部に複数本の補強下地桟が設けられた周囲枠の両側に面板が設けられ、
前記複数本のうちの一部の補強下地桟が、一方の面材の側に偏って位置してもう一方の面材から離間していると共に、残る一部の補強下地桟が、前記もう一方の面材の側に偏って位置して前記一方の面材から離間しており、
前記一部の補強下地桟と前記もう一方の面材との間、及び、前記残る一部の補強下地桟と前記一方の面材との間のそれぞれにプレス支持用緩衝材が介設され、
前記一部の補強下地桟と前記一方の面材、及び、前記残る一部の補強下地桟と前記もう一方の面材とがプレスされて接合されていることを特徴とする遮音パネルによって同様に解決される（第５発明）。
【００１５】
また、上記の課題は、内部に複数本の補強下地桟が設けられた周囲枠の両側に面板が設けられ、
前記複数本のうちの一部の補強下地桟が、一方の面材の側に偏って位置してもう一方の面材から離間していると共に、残る一部の補強下地桟が、前記もう一方の面材の側に偏って位置して前記一方の面材から離間しており、
前記補強下地桟が、周囲枠で囲まれた内部において短辺方向に延ばされ、
前記一部の補強下地桟と前記一方の面材、及び、前記残る一部の補強下地桟と前記もう一方の面材とがプレスされて接合されていることを特徴とする遮音パネルによっても同様に解決される（第６発明）。
【発明の効果】
【００１６】
本発明の遮音建具及び遮音パネルは、以上のとおりのものであるから、軽量でかつコスト的な有利性を発揮することができながら、遮音性に優れ、しかも、面材と補強下地桟とのプレスによる接合を品質良好なものにすることができる。
【発明を実施するための最良の形態】
【００１７】
次に、本発明の実施最良形態を図面に基づいて説明する。
【００１８】
図１及び図２に示す第１実施形態の遮音建具１は、室内木製ドアについてのもので、図１において、２は木製の周囲枠、３…，４…は木製の補強下地桟、５，６は木製の面材である。周囲枠２は、図１（イ）（ロ）に示すように、上下の枠２ａ，２ａと左右の枠２ｂ，２ｂとを縦長の方形環状に組んだものからなっている。
【００１９】
補強下地桟３…，４…は、面材５，６の取付けの下地であると共に、面材５，６が面外方向へはらむのを防ぐもので、
一方の面材５の側に偏って位置してもう一方の面材６から離間する一方の群の３つの補強下地桟３…と、前記もう一方の面材６の側に偏って位置して前記一方の面材５から離間するもう一方の群の３つの補強下地桟４…とに分けられ、
前記一方の群の補強下地桟３…は、周囲枠２の短辺方向、即ち左右方向に延ばされて、周囲枠２の上下の枠２ａ，２ａ間に所定の間隔おきに配置されると共に、前記もう一方の群の補強下地桟４…も、周囲枠２の短辺方向に延ばされて、周囲枠２の上下の枠２ａ，２ａ間に所定の間隔おきに配置され、
これら一方の群の各補強下地桟３ともう一方の群の各補強下地桟４とは、上下に離間して隣り合う配置関係にされ、両端部が左右の枠２ｂ，２ｂに接合されて、周囲枠２内に設けられている。
【００２０】
また、前記一方の群の各補強下地桟３には、前記もう一方の面材６と対向する側の面部に、該もう一方の面材６との離間寸法に対応する厚さ寸法のプレス支持用緩衝材７が両面テープ等により取り付けられると共に、前記もう一方の群の各補強下地桟４には、前記一方の面材５と対向する側の面部に、該一方の面材５との離間寸法に対応する厚さ寸法のプレス支持用緩衝材７が同じく両面テープ等により取り付けられている。
【００２１】
各プレス支持用緩衝材７は、プレス時の支持作用を必要充分に行うことができ、しかも、遮音性能を損なわせることのない性質を備えたものからなっていて、例えば、バネ定数が１０〜５０ｋｇｆ／ｍｍのゴム状材などが好適に用いられる。
【００２２】
なお、本実施形態では、各プレス支持用緩衝材７は、各補強下地桟３，４の長手方向の中央部に点状に１つ備えられているが、長手方向の中間部に所定の間隔をおいて複数、点状に備えられていてもよいし、各補強下地桟３，４の長手方向の全長ないしはほぼ全長、あるいは、長手方向の一部にわたる範囲に線状に備えられていてもよい。
【００２３】
遮音ドア１の製作は、上記のようにして補強下地桟３…，４…が内部に設けられた周囲枠２の両面部と、各補強下地桟３…，４…の、プレス支持用緩衝材７…の存在する側とは反対の側の面部とに、接着剤８を塗布したのち、図２（イ）〜（ハ）に示すように、周囲枠２の両側に面材５，６を重ね合わせ状態にしてプレスをすると、周囲枠２と両面材５，６、並びに、前記一方の群の補強下地桟３…と前記一方の面材５、及び、前記もう一方の群の補強下地桟４…と前記もう一方の面材６とが接着剤８…にて接合されて、図１（ハ）（ニ）に示すような遮音ドア１に製作される。なお、接着剤８は、間隔的に塗布されていてもよいし、全体に塗布されていてもよい。
【００２４】
上記のプレスにおいて、補強下地桟３…，４…と面材５，６とが離間している部分にはプレス支持用緩衝材７…が介設されているので、各プレス支持用緩衝材７…による支持作用が働き、また、各補強下地桟３…，４…は周囲枠２内を短辺方向に延ばされているので、それ自体で撓みにくく、それらが相俟って、各補強下地桟３…，４…は撓みを生じにくく、そのため、面材５，６と周囲枠２はいうに及ばす、面材５，６と各補強下地桟３…，４…も接着剤８…で品質良好に接合される。なお、内部にはグラスウール９が装填されている。
【００２５】
このように、上記の遮音ドア１では、周囲枠２内の各群の補強下地桟３…，４…が各面材５，６に接着剤で接合されているので、各面材５，６の面外方向へのはらみを各群の補強下地桟３…，４…で防ぐことができ、また、これらの補強下地桟３…，４…は、いずれか一方の面材から離間しているので、補強下地桟３…，４…がサウンドブリッジとならず、そのため、高い遮音性能を発揮することができると共に、面材５，６の重量を大きくする必要がなくて、施工性に優れ、コスト的な有利性も発揮することができる。
【００２６】
しかも、補強下地桟３…，４…と面材５，６とが離間している部分には、上記のように、プレス支持用緩衝材７…が介設されているので、ドア１の製作過程において上記のようにプレスを行っても、プレス支持用緩衝材７…による支持作用によって補強下地桟３…，４…に撓みを生じにくく、また、プレス支持用緩衝材７…は補強下地桟３…，４…と面材５，６との間に介在するように備えられるので、プレス時に補強下地桟３…，４…にねじれ変形を生じるようなこともなく、そのため、面材５，６と補強下地桟３…，４…とを接着剤８…で品質良好に接合することができ、そして、プレス支持用緩衝材７…は、緩衝作用も備えているので、サウンドブリッジとはならず、遮音性能を損なわせることもない。
【００２７】
特に、本実施形態では、各群の補強下地桟３…，４…が、縦長方形状の周囲枠２で囲まれた内部を短辺方向に延ばされているので、プレス支持用緩衝材７…の使用と相俟って、ドアの製作過程でのプレスにおける補強下地桟３…，４…の撓みをより一層効果的に生じにくくすることができて、面材５，６と補強下地桟３…，４…との接合を品質良好なものにすることができる。
【００２８】
因みに、上記のような構成の遮音ドア（実施例）と、周囲枠の内部に充填したペーパーハニカム材を両面材に接合して形成したドア（比較例１）と、周囲枠の内部に設けた表裏共通の補強下地桟を両面材に接合して形成したドア（比較例２）とについて、遮音性能についての試験を行ったところ、図５のグラフに示すように、上記の実施形態の構造を備えた遮音ドアが高い遮音性能を発揮しうることを確認することができた。
【００２９】
図３に示す第２実施形態の遮音ドア１は、プレス支持用緩衝材が省略されているもので、その他は、第１実施形態と同様である。本実施形態では、各群の補強下地桟３…，４…が、縦長方形状の周囲枠２で囲まれた内部を短辺方向に延ばされているので、補強下地桟３…，４…それ自体で撓みにくく、そのため、ドアの製作過程でのプレスにおける補強下地桟３…，４…の撓みを生じにくくすることができて、面材５，６と補強下地桟３…，４…との接合を品質良好なものにすることができる。特に、幅寸法の小さな遮音ドアでは、このような構造も有効である。
【００３０】
図４に示す第３実施形態の遮音ドア１は、一方の面材５の側に偏る１つの補強下地桟３と、もう一方の面材６の側に偏る１つの補強下地桟４とが、縦長方形状の周囲枠２内の幅方向の中央部分において、長辺方向、即ち上下方向に延びるように備えられて、それらの両端部が上下の枠２ａ，２ａに接合され、各補強下地桟３，４の長手方向の中間部に、複数のプレス支持用緩衝材７…が所定の間隔をおいて設けられたもので、その他は第１実施形態と同様である。
【００３１】
本実施形態では、補強下地桟３，４が長辺方向に延ばされているが、各補強下地桟３，４には、その長手方向の中間部に複数のプレス支持用緩衝材７…が所定の間隔をおいて設けられているので、ドアの製作過程でのプレスにおける各補強下地桟３，４の撓みを、それぞれ複数のプレス支持用緩衝材７…による支持作用によって生じにくくすることができて、面材５，６と補強下地桟３，４との接合を品質良好なものにすることができる。
【００３２】
以上に、本発明の実施形態を示したが、本発明はこれに限られるものではなく、発明思想を逸脱しない範囲で各種の変更が可能である。例えば、上記の実施形態では、面材５，６と補強下地桟３，４とを接着剤８で接合する場合を示しているが、接合は接着剤に限られるものではなく、遮音ドア１の製作過程において、面材５，６と補強下地桟３，４との接合を、面材５，６を補強下地桟３，４の側にプレスすることによって行う各種形式の接合であってよい。
【００３３】
また、上記の実施形態では、本発明の遮音建具及び遮音パネルを開き戸式の遮音ドアに適用した場合を示したが、引き戸式などの各種遮音建具に適用することも可能で建具の種類に制限はなく、また、第５，第６発明では、遮音建具に限らず、各種遮音パネルに適用することが可能である。
【図面の簡単な説明】
【００３４】
【図１】第１実施形態の遮音ドアを示すもので、図（イ）は内部に補強下地桟が設けられた周囲枠の正面図、図（ロ）は図（イ）のＩ−Ｉ線断面矢視図、図（ハ）は遮音ドアの断面側面図、図（ニ）は図（ハ）のＡ部拡大図である。
【図２】図（イ）及び図（ロ）は同遮音ドアの製造過程を順次に示す断面正面図、図（ハ）は図（ロ）の要部拡大図である。
【図３】第２実施形態の遮音ドアを示すもので、図（イ）は内部に補強下地桟が設けられた周囲枠の正面図、図（ロ）は図（イ）のＩＩ−ＩＩ線断面矢視図、図（ハ）は遮音ドアの断面側面図、図（ニ）は図（ハ）のＢ部拡大図である。
【図４】第３実施形態の遮音ドアを示すもので、図（イ）は内部に補強下地桟が設けられた周囲枠の正面図、図（ロ）は図（イ）のＩＩＩ−ＩＩＩ線断面矢視図、図（ハ）は遮音ドアの断面側面図、図（ニ）は図（ハ）のＣ部拡大図である。
【図５】本発明の遮音ドアと従来の遮音ドアについての遮音性能を比較するグラフ図である。
【符号の説明】
【００３５】
１…遮音ドア（遮音建具、遮音パネル）
２…周囲枠
３…一方（一部）の補強下地桟
４…もう一方（残る一部）の補強下地桟
５…一方の面材
６…もう一方の面材
７…プレス支持用緩衝材
８…接着剤
【図１】
2009150133.tif 000003
【図２】
2009150133.tif 000004
【図３】
2009150133.tif 000005
【図４】
2009150133.tif 000006
【図５】
2009150133.tif 000007